(57)【要約】【課題】  ３Ｄ光情報媒体のアドレシング方法を確立し、スムーズなデータ転送およびランダムアクセス性の向上を可能にする３Ｄ光媒体に関る現実的な情報記録方法、情報媒体および記録再生装置を提供する。【解決手段】  媒体内の１つの情報層に、平面及び厚み方向へ記録が可能な３次元光情報記録媒体において、該情報媒体を記録および/あるいは再生を行う装置が２束のレーザ光を持ち、記録および/あるいは再生を行う前に、記録層の厚さｄ、およびレーザと媒体の基準面の距離を測定するステップを有し、前記２束のレーザ光のうち１方がアドレス情報をもつ基準面にフォーカスし、他方のレーザ光が基準面と記録あるいは再生部位の規格化された部位にアクセスすることにより、３次元空間上への正確なアドレシングが可能となる情報記録方法を提供することができる。【選択図】      図６
2005327328.tif 000002
【特許請求の範囲】
【請求項１】
媒体内の１つの情報層に平面及び厚み方向へ記録が可能な３次元光情報記録媒体において、記録層とその隣接する層との界面が光学的に屈折率変化を示し、該情報媒体を記録および/あるいは再生を行う装置が、前記界面の屈折率変化を測定することにより記録および/あるいは再生を行う前に記録層の厚さｄ、およびレーザと媒体の基準面の距離を測定するステップを有し、求められた記録層の厚みを（ｎ＋ｍ）分割した距離を規格値として算出し（ｎは厚さ方向に対する分割数、ｍは０以上の整数）、求められた規格値を基に算出された数値を該媒体の厚み方向へのアドレスとすることを特徴とする３次元光情報記録媒体。
【請求項２】
媒体内の１つの情報層に、平面及び厚み方向へ記録が可能な３次元光情報記録媒体において、記録層とその隣接する層との界面が光学的に屈折率変化を示し、該情報媒体を記録および/あるいは再生を行う装置が、前記界面の屈折率変化を測定することにより記録および/あるいは再生を行う前に記録層の厚さｄ、およびレーザと媒体の基準面の距離を測定するステップを有し、求められた記録層の厚みから該媒体の厚み方向への記録マークの積層数ｎをｎ＝ｄ／ｌ−ｍと算出し（ｎは厚さ方向に対する分割数、ｍは０以上の整数、ｌは記録マークの厚み方向マージンから算出された厚み方向のトラックピッチ）、求められた規格値を基に算出された数値を該媒体の厚み方向へのアドレスとしてフォーカスし、記録を行い、上記のようにして算出された数値情報、ｎあるいはｌあるいはｍを該媒体の記録領域内に保管せしむことを特徴とする３次元光情報記録媒体。
【請求項３】
媒体内の１つの情報層に、平面及び厚み方向へ記録が可能な３次元光情報記録媒体において、記録層とその隣接する層との界面が光学的に屈折率変化を示し、該情報媒体を記録および/あるいは再生を行う装置は前記界面の屈折率変化を測定することにより記録層の厚さｄ、およびレーザと媒体の基準面の距離を測定し、求められた記録層の厚みを（ｎ＋ｍ）分割した距離を算出し（ｎは厚さ方向に対する分割数、ｍはｎ以下の０以上の整数）、厚み方向へのアドレスを、
［基準面＋ｄ／（ｎ＋ｍ）×ｐ＋ｅ］、
もしくは［基準面＋ｄ×（ｎ＋ｍ＋ｐ−１）／（ｎ＋ｍ）＋ｅ］、
もしくは［基準面−ｄ／（ｎ＋ｍ）×ｐ＋ｅ］、
もしくは［基準面−ｄ（ｎ＋ｍ＋ｐ−１）／（ｎ＋ｍ）＋ｅ］
（ｐはマーク位置における基準面からの層数を示し、０≦ｐ＜ｎの整数。ｅは基準面と１層目のピット（中心）位置との距離を示し、０≦ｅ≦ｄ／（ｎ＋ｍ）である。）とすることを特徴とする３次元光情報記録媒体。
【請求項４】
媒体内の１つの情報層に、平面及び厚み方向へ記録が可能な回転する円形の３次元光情報記録媒体において、記録層とその隣接する層との界面が光学的に屈折率変化を示し、該情報媒体を記録および/あるいは再生を行う装置は前記界面の屈折率変化を測定することにより記録層の厚さｄ、およびレーザと媒体の基準面の距離を測定し、求められた記録層の厚みを（ｎ＋ｍ）分割した距離を算出し（ｎは厚さ方向に対する分割数、ｍは０、１、２の整数）、厚み方向へのアドレスを、
［基準面＋ｄ／（ｎ＋ｍ）×（ｑ−１＋（ω/2π））＋ｅ］、
もしくは［基準面＋ｄ／（ｎ＋ｍ）×（ｎ−ｑ−（ω/2π））＋ｅ］、
もしくは［基準面−ｄ／（ｎ＋ｍ）×（ｑ−１＋（ω/2π））＋ｅ］、
もしくは［基準面−ｄ／（ｎ＋ｍ）×（ｎ−ｑ−（ω/2π））＋ｅ］
（ωは円形の媒体において、記録位置と基準位置と媒体の回転軸がなす角度であり０≦ω≦２πである。基準位置は任意の位置もしくは/あるいはフォーマットによって決められる位置あるいは角度である。ｑはマーク位置におけるラセンの巻き数目を示し、１≦ｑ＜ｎ−１の整数である。ｅは基準面と最も基準面に近い層のピット（中心）位置との距離を示し、０≦ｅ≦ｄ／（ｎ＋ｍ）である。）となるラセン状であることを特徴とする３次元光情報記録媒体。
【請求項５】
媒体内の１つの情報層に、平面及び厚み方向へ記録が可能な円形の３次元光情報記録媒体において、記録層とその隣接する層との界面が光学的に屈折率変化を示し、前記基準面上にアドレッシング情報が形成されており、該情報媒体を記録および/あるいは再生を行う装置が２束のレーザを有し、記録および/あるいは再生を行う前に前記界面の屈折率変化を測定することにより記録層の厚さｄ、およびレーザと媒体の基準面の距離を測定し、前記２束のレーザ光のうち１つが基準面にフォーカスし、基準面に形成されたアドレス情報が読み取り可能とし、他方のレーザ光が基準面のフォーカスされたレーザ光のフォーカス位置との深さ方向への相対位置を算出することにより、決められた３次元位置へのアドレスにフォーカスすることを特徴とする３次元光情報記録媒体。
【請求項６】
媒体内の１つの情報層に、平面及び厚み方向へ記録が可能な３次元光情報記録媒体において、記録および/あるいは再生を行う前に前記界面の屈折率変化を測定することにより記録層の厚さｄ、およびレーザと媒体の基準面の距離を測定し、該情報媒体を記録および/あるいは再生を行う装置が２束のレーザを有し、前記２束のレーザのうち基準面にフォーカスしレーザと、前記記録もしくは再生部位にフォーカスされるレーザが異なる波長であり、基準面にフォーカスするレーザ波長をλ1、前記記録もしくは再生部位にフォーカスされるレーザ波長をλ2、基準面にフォーカスされた光がの返ってくる光の波長がλ3、前記記録もしくは再生部位にフォーカスされて返ってくる光の波長λ4としたとき、λ１とλ２が異なる波長であり、またλ３とλ４が異なる波長であり、媒体からの戻り光λ3およびλ4がダイクロックミラーもしくはフィルターにより分離され、フィルタリングされることにより個々の信号を検出する機構を持つことを特徴とする３次元光情報記録媒体。
【請求項７】
媒体内の１つの情報層に、平面及び厚み方向へ記録が可能な３次元光情報記録媒体において、該情報媒体を記録および/あるいは再生を行う装置が２束のレーザを有し、前記２束のレーザのうち、１つが基準面にフォーカスするレーザと、もう片方が前記記録もしくは再生部位にフォーカスされるレーザであり、これら２束のレーザ光は同一のレーザから出力されるレーザ光であり、基準面にフォーカスするレーザ光をL1、前記記録もしくは再生部位にフォーカスされるレーザ光をL2とした時、レーザ強度がＬ１＜Ｌ２となるように分岐され、分岐されたレーザ光束が各々の光学系を経て、前記フォーカス位置を機械的にアドレッシングすることを特徴とする３次元光情報記録媒体。
【請求項８】
媒体内の１つの情報層に、平面及び厚み方向へ記録が可能な３次元光情報記録媒体において、アドレス情報を有する基準面にフォーカスするレーザはランドおよびグルーブ両方にアドレッシングし、前記媒体の基準面に形成されたアドレス情報のトラックピッチｆが、記録層の厚みｄに対して
ｆ／２≦０．０２×ｄの式を満たしており、アドレス情報を有する基準面がゾーンＣＬＶフォーマットであることを特徴とする３次元光情報記録媒体。
【請求項９】
厚み方向へ記録が可能な３次元光情報記録媒体において、媒体内の少なくとも１つの情報層の厚みが0.3mm以下であり、これを一つの単位とし多層に積相されており、1つの情報層に深さ方向にｎ層の記録がされていることを特徴とする３次元光情報記録媒体。
【発明の詳細な説明】
【技術分野】
【０００１】
本発明は、情報情報媒体、光学情報の記録方法、及び情報記録媒装置に関し、より詳しくは記録層の３次元方向へ体積記録可能な高密度光学情報の記録方法に関する。
【背景技術】
【０００２】
近年、コンピュータ用情報のみならず音声や静止画像、動画像などの情報がデジタル化され、取り扱う情報量がきわめて大きくなってきている。それに伴い、これらの情報を保存するための光情報媒体もより大容量化する必要が生じている。このような光情報媒体に関しては、波長７８０ｎｍ近傍のレーザ光にて記録再生を行うＣＤ−ＲおよびＣＤ−ＲＷが全世界的に普及し、最近では波長６５０ｎｍ近傍のレーザ光にて記録再生を行うＤＶＤ―ＲやＤＶＤ−ＲＡＭ等の記録型ＤＶＤが、普及の兆しが現れている。更に最近ではレーザ光源の波長を４００ｎｍ近くまで短くし、対物レンズの開口数（ＮＡ）を０．６以上にすることにより、光ディスク面上に集光するスポット径を小さくすることで、これまで以上に高密度化を図る新たな規格作りが行われており、２００３年３月にはＢｌｕ−ｒａｙレコーダーとして実用化され、発売された。
【０００３】
ところで、これまでの光情報媒体の容量を飛躍的に増大する方法としては、レーザ光波長（λ）を短波長化し、対物レンズの開口数（ＮＡ）を増大させ、媒体のレーザ光を透過する光透過層を薄くすることにより記録再生用レーザスポット径（レーザ波長／ＮＡ）を縮小する等の技術が行われてきた。しかしながら、記録再生用のレーザの短波長化は極限に近づきつつあり、記録材料も従来のヒートモード記録に基づく技術では最小ピットを形成することが困難になりつつあるのが実状である。
そのため、各方面では従来のアプローチ以外の方法による光情報媒体の大容量化の試みがなされている。例えば多値による記録、ディスクの一平面でなくホログラムによる体積記録、そして一枚の光情報媒体に複数の情報層を持つ多層情報媒体等が挙げられる。その中の一つとして、例えば学会レベルにおいては非特許文献１等で報告されている。
【０００４】
【非特許文献１】International Symposium on Optical Memory 2003 Technical Digest PP56-57
【発明の開示】
【発明が解決しようとする課題】
【０００５】
これまで数多くの３Ｄ記録媒体の関る提案がなされてきており、また従来の光ディスク技術においてもレーザの高パワー化、ピックアップのアクチュエーターの高精度化、収差補正技術の進歩、媒体の傾き角（チルト）マージンを吸収する補正機構の開発、２波長ピックアップの実用化、等の光学技術の進歩により、空間にアドレス情報を持たない３Ｄ記録の実用化が現実的になってきた。しかし、これまで数多くの３Ｄ記録媒体の関る提案においても原理的な実験の域を越える発明はなく、先述の公知例においても、駆動ステージは媒体をＸＹＺステージに乗せ、記録材料への記録及び再生を確認しただけであり、実際のアドレシングに関して現実的なマージンについて議論し、その解決法について考慮されていない。
本発明は、かかる技術的課題を解決するためになされたものであって、その目的とするところは３Ｄ光情報媒体のアドレシング方法を確立し、スムーズなデータ転送およびランダムアクセス性の向上を可能にする３Ｄ光媒体に関る現実的な情報記録方法、情報媒体および記録再生装置を提供することにある。
【課題を解決するための手段】
【０００６】
かかる目的のもと、媒体内の１つの情報層に、平面及び厚み方向へ記録が可能な３次元光情報記録媒体において、該情報媒体を記録および/あるいは再生を行う装置が２束のレーザ光を持ち、記録および/あるいは再生を行う前に、記録層１０の厚さｄ、およびレーザと媒体の基準面の距離を測定するステップを有し、前記２束のレーザ光のうち１方がアドレス情報をもつ基準面にフォーカスし、他方のレーザ光が基準面と記録あるいは再生部位の規格化された部位にアクセスすることにより、３次元空間上への正確なアドレシングが可能となる情報記録方法を提供することができる。
【発明の効果】
【０００７】
本発明が適用される媒体内の１つの情報層に、平面及び厚み方向へ記録が可能な３次元光情報記録、および情報記録方法において、該情報媒体を記録および/あるいは再生を行う装置が２束のレーザ光を持ち、記録および/あるいは再生を行う前に、記録層１０の厚さｄ、およびレーザと媒体の基準面の距離を測定するステップを有し、前記２束のレーザ光のうち１方がアドレス情報をもつ基準面にフォーカスし、他方のレーザ光が基準面と記録あるいは再生部位の規格化された部位にアクセスすることにより、３次元空間上への正確なアドレシングが可能となる情報記録方法をが提供される。
【発明を実施するための最良の形態】
【０００８】
上記の装置および媒体において、図１および図２を用いて説明する。なお、３Ｄ記録可能な情報媒体の作製法については例えば上記公知例図International Symposium on Optical Memory 2003 Technical Digest PP56-57のような遷移金属分子をドープしたアルミナ結晶や、JP2961126によるガラスマトリックス、あるいはJP2810542で提案されているような２光子分子による記録再生であっても構わなく、公知一般の方法を取ることは本発明の主旨に反することはない。また、図１ではレーザーの入射面と媒体からの戻り光が同じ方向であるが、例えば図７のようにレーザ入射と反対側に検出器をセットする事も本発明の主旨を何ら妨げるものではない。
【実施例１】
【０００９】
図１は媒体の概略図、図２は媒体を断面方向から見た、記録ピットの焦点位置について図示した図である。記録および/あるいは再生を行う前に記録層１０の平均厚さｄ、およびレーザと媒体の基準面の距離を測定する方法として、記録層１０とその隣接する層との界面が光学的に屈折率変化を示すことが望ましい。そして、情報媒体を記録および/あるいは再生を行う装置は、前記界面の屈折率変化を測定することにより記録層１０の厚さｄ、およびレーザと媒体の基準面の距離を測定する機構を有することが必須である。
また、求められた記録層１０の厚みを（ｎ＋ｍ）分割した距離を算出し（ｎは厚さ方向に対する分割数、ｍはｎ以下の０、１、２の整数）、厚み方向へのアドレスを（式１）もしくは（式２）となるように、ピット配列することが望ましい。なお、図２に図示したように、記録層１０の膜厚は媒体全面に渡って均一だとは限らない。ここでは記録層１０の膜厚ｄを記録層１０の平均値としたが、膜厚の最小値以上、かつ膜厚の最大値以下の間であれば、ｍの数値の増減により調整可能であるため、必ずしもｄは記録層１０の膜厚の平均値である必要はない。
［基準面＋ｄ／（ｎ＋ｍ）×ｐ＋ｅ］                    ・・・（式１）
［基準面＋ｄ×（ｎ＋ｍ＋ｐ−１）／（ｎ＋ｍ）＋ｅ］    ・・・（式２）
（ｐはマーク位置における基準面からの層数を示し、１≦ｐ＜ｎの整数である。ｅは基準面と１層目のピット（中心）位置との距離を示し、０≦ｅ≦ｄ／（ｎ＋ｍ）である。）
ただし、（式１）および（式２）は媒体構造がレーザの入射面に対して記録位置が基準面よりも近い場合の式であり、媒体構造がレーザの入射面に対して記録位置が基準面よりも遠い場合、厚み方向へのアドレスを（式３）もしくは（式４）となるように、深さ方向へのピット配列することが望ましい。
［基準面−ｄ／（ｎ＋ｍ）×ｐ＋ｅ］                   ・・・（式３）
［基準面−ｄ（ｎ＋ｍ＋ｐ−１）／（ｎ＋ｍ）＋ｅ］     ・・・（式４）
図２ではマークの配列が渦巻状の平面に描かれているが、３次元記録媒体では、例えば特開00-228014に開示されているようにらせん状に配列されることもありえる。その際のマーク配列について説明した図３および図４を用いて説明する。図３は媒体の概略図、図４は媒体を断面方向から見た、記録ピットの焦点位置について図示した図である。前述の説明と同様に、該情報媒体を記録および/あるいは再生を行う装置は、界面の屈折率変化を測定することにより記録層１０の厚さｄ、およびレーザと媒体の基準面の距離を測定し、求められた記録層１０の厚みを（ｎ＋ｍ）分割した距離を算出する（ｎは厚さ方向に対する分割数、ｍは0,1あるいは2の整数）。
そして厚み方向へのアドレスを（式３）もしくは（式４）となるように、基準位置から角度ω進むごとに深さ方向へのピット位置をｄ／（ｎ＋ｍ）×（ω/2π）だけ変化させ、ラセン状にピット配列することが望ましい。
［基準面＋ｄ／（ｎ＋ｍ）×｛ｑ−１＋（ω/2π）｝＋ｅ］    ・・・（式５）
［基準面＋ｄ／（ｎ＋ｍ）×｛ｎ−ｑ−（ω/2π）｝＋ｅ］    ・・・（式６）
ただし、（式５）および（式６）は媒体構造がレーザの入射面に対して記録位置が基準面よりも近い場合の式であり、媒体構造がレーザの入射面に対して記録位置が基準面よりも遠い場合、厚み方向へのアドレスを（式７）もしくは（式８）となるように、深さ方向へのピット配列することが望ましい。
［基準面−ｄ／（ｎ＋ｍ）×｛ｑ−１＋（ω/2π）｝＋ｅ］    ・・・（式７）
［基準面−ｄ／（ｎ＋ｍ）×｛ｎ−ｑ−（ω/2π）｝＋ｅ］    ・・・（式８）
（ωは円形の媒体において、記録位置と基準位置と媒体の回転軸がなす角度であり０≦ω≦２πである。基準位置は任意の位置もしくは/あるいはフォーマットによって決められる位置あるいは角度である。ｑはマーク位置におけるラセンの巻き数目を示し、１≦ｑ＜ｎ−１の整数である。ｅは基準面と最も基準面に近い層のピット（中心）位置との距離を示し、０≦ｅ≦ｄ／（ｎ＋ｍ）である。）
さて、上述の（式１）から（式８）の式による説明では、予め３次元方向への分割数ｎが決定された上で成り立つ計算式であったが、バルク状態における記録層１０においては、記録層１０の厚みｄが未知であったり、もしくはフレキシブルであることが予想される。この際、重要であるのは分割数ｎではなく、厚み方向のトラックピッチｌであり、ｌを基に分割数ｎが算出されなければならない。この場合、記録装置のマージンを含んだ厚さ方向のトラックピッチが決められている。前述の通り、装置は記録層１０の厚さｄを測定するステップを有し、ｄとｌから（式９）の通りｎを計算することが可能である。
［ｎ＝ｄ／ｌ−ｍ］    ・・・（式９）
（ｎは厚さ方向に対する分割数、ｍは０以上の整数、ｌは記録マークの厚み方向マージンから算出された厚み方向のトラックピッチである）
（式９）を（式１）ないし（式８）に代入した条件にて記録および再生を行うことにより、記録装置の能力とマージンを合致した厚み方向へのトラックピッチにて記録および再生がなされることになる。また、算出されたｌ、ｍ、ｎの値は記録条件として媒体の記録エリアに保管し、同一の記録再生装置、もしくは他の再生装置で再生を行う際、該媒体のフォーマット条件の一つとして読み取り可能な状態にせしむことが望ましい。
更に（式５）ないし（式８）に示されるようならせん状のマーク配置を取ったアドレスの場合、アドレス情報を有する基準面をゾーンＣＬＶフォーマットとすることで、３Ｄ記録媒体の欠点である、アクセス性について大幅な改善が期待できる。また、途切れの少ないデータ転送速度も可能となる。
次に、前述の記録および/あるいは再生を行う前に前記界面の屈折率変化を測定することにより記録層１０の厚さｄ、およびレーザと媒体の基準面の距離を測定する方法について図５を用いて説明する。
本発明による光情報記録再生装置は光ヘッド２１と光ヘッド２２の２束のレーザを有しており、前記２束のレーザのうちの１つ、光ヘッド２１が常に基準面にフォーカスする。そして残りの光ヘッド２２が、記録および/あるいは再生を行う前に、記録層１０とその隣接する層との界面における屈折率変化を検知し、レーザから遠い界面とレーザに近い界面にフォーカスすることにより、記録層１０の記録層１０の厚さｄ、およびレーザと媒体の基準面の距離を測定する。そして、基準であるピック1との差異をコントロールし、上記説明の通り、（式１）ないし（式９）の厚み方向へのアドレスにフォーカスされる。
この際、光ヘッド２１と光ヘッド２２のフォーカスは、基準面のアドレス情報に対して同一のトラック、もしくはそれに隣接したトラック同士であることが望ましい。光ヘッド２１と光ヘッド２２のフォーカス位置が離れるほど、光ヘッド２２の正確なトラッキングが難しくなるためである。
更に平面方向に対して同じポジションに２つの光ヘッドをフォーカスさせる方法については特開2001-134961等に提案されている。この発明に提案されている内容を基に更に実用に即して、図６にて詳細に説明する。
【００１０】
媒体内の１つの情報層１０に、基準面にフォーカスするレーザ６１と、記録もしくは再生部位にフォーカスされるレーザ６２が異なる波長であり、基準面にフォーカスするレーザ波長をλ1、前記記録もしくは再生部位にフォーカスされるレーザ波長をλ2である。この時、高密度記録を行うためにはλ1の波長は短い方が望ましく、もう一方の基準面のフォーカスされるレーザλ2は波長に依存することは少ないため必ずしも短波長である必要はない。従ってλ1＝λ3かつλ2＝λ４であるときは、λ1＜λ2であることが望ましい。
ただし媒体が前記公知例JP2810542で提案されているような２光子分子による記録再生の場合、媒体に照射するレーザ波長λ1と媒体から出る戻り光λ3は異なっており、上記説明による方法では信号は検知されない。そこでフィルターあるいはダイクロックミラーを戻り光λ3にチューニングするなどの方法が望ましい。更には２光子吸収材料の場合、記録光波長と再生光波長が異なるため、必ずしもλ1＜λ2である必要はない。
また図７、図８、あるいは図９のように検出系を情報媒体の反対側にセットすることは可能である。とりわけ２光子吸収分子から発生する戻り光λ3は全方向に放射されるため、図７のように専用のレンズ２５にて集光し、フィルタリング９１で必要な信号のみを取り出せるようにし、効率よくλ3の信号を採取することが出来る方は最も望ましい形態である。
また、図８、あるいは図９のように基準面にフォーカスされた透過光λ4の検出系を情報媒体の反対側にセットすることも可能である。基準面をレーザーの入射面から遠い面にした時の一例の概略図を図９に示したが、レーザおよび検出系が媒体のどちらにあっても構わない。
【００１１】
これまでは公知例に基づき２つのレーザを用いてアドレシングとフォーカスを行う実施例について述べたが、１つのレーザーを用い、ビームスプリッタにより２束のレーザ光に分岐し、各々のレーザ光を、前述の基準面へのフォーカスと記録層への３Ｄ記録を行う方法がある。図１０を用いて詳細に説明する。
レーザ６２から照射されるレーザ光はビームスプリッタ９１によりメインビームとサブビームに分岐し、メインビームは１／２波長盤を透過した後に偏光ビームスプリッタ９２へと送られ、サブビームはグレーティング盤により回折光として偏光ビームスプリッタ９２へと送られる。各々のビームはレンズ２６およびレンズ２７により焦点位置が変えられる機構を持つ。
偏光ビームスプリッタ９２に送られたメインとサブの２束のビームは同一の対物レンズ２０を通り、サブビームが記録層の基準面、メインビームが記録再生マーク位置にフォーカスされる。反射した光は検出器６２へと送られ、サーボ信号と、ＲＦ信号の両方が検出可能となる。なお、
基準面にフォーカスするレーザ光をL1、前記記録もしくは再生部位にフォーカスされるレーザ光をL2とした時、レーザ強度がＬ１＜Ｌ２とならなければならない。
さて、これまで公知例にてなされた提案は。１００層が可能あるとか記録層の厚みがあるほど記憶容量が増大するのような主旨の記述が多々見られるが、実際にはかような媒体の製造は不可能である。なぜならば媒体の製造には機械精度が要求されるが、例えば基板平面の傾き角についても０．１°を下回る樹脂基板を安定して製造することは極めて困難であるからである。また平坦性の良いガラスを用いた場合、安価に生産することは到底無理である。
図１１に示すように傾き角が０．５°の場合、基準面から最も離れた位置に記録されるマークは、記録層の屈折率変化によりビームが屈折するため、本来の位置と比べてずれて記録されてしまう。この結果、記録もしくは再生されるべきマークと違う位置に記録あるいは再生される事から、記録層の厚みｄの限度は、平面方向のトラックピッチｆに大きく依存した数値となり、実際には
以上のような機械精度の加味して生産される３Ｄ記録が可能な情報媒体の記録層の厚みｄは（式１２）を満たす範囲が限度である。
【００１２】
ｆ≦ｄ×ｓｉｎ（0.1°）≒0.02×ｄ   ・・・（式１２）
なお、装置が媒体のランド部のみ、あるいはグルーブ部のみにトラッキングするならば、（式１２）上のｆは（ｆ1＋ｆ2）であり、装置が媒体のランド部のみ、あるいはグルーブ部のみにトラッキングするならば、（式１２）上のｆは図１０における（ｆ1＋ｆ2）であり、装置が媒体のランド部およびグルーブ部の両方、即ちＬ＆Ｇでトラッキングするならば、（式１２）上のｆは（ｆ1＋ｆ2）／２である。
従って現在に製造技術から鑑みて、3Ｄ記録媒体に用いられる記録層の厚みｄは０．３ｍｍが限度であり、３Ｄ記録の積層数ｎは１０層、ＤＶＤサイズで２００ＧＢ程度である。そこで、情報層の厚みが0.3mm以下であり、これを一つの単位とし多層に媒体内の少なくとも２層を積相し、正確なアドレシングと容量の両立を図る方法が本発明の最も望ましい形態である。
【図面の簡単な説明】
【００１３】
【図１】本発明における媒体の概略図である
【図２】本発明における媒体を断面方向から見た記録ピットの焦点位置について示した図である
【図３】本発明における他の媒体の概略図である
【図４】本発明における他の媒体を断面方向から見た記録ピットの焦点位置について示した図である
【図５】本発明における媒体の記録層の厚、およびレーザと媒体の基準面の距離を測定する方法を説明するための図である
【図６】本発明における媒体を、平面方向に対して同じポジションに２つの光ヘッドをフォーカスさせる方法を説明するための図である
【図７】本発明における記録再生装置の模式図である
【図８】本発明における別の記録再生装置の模式図である
【図９】本発明における別の記録再生装置の模式図である
【図１０】本発明における３次元記録を行う方法を説明するための図である
【図１１】本発明における３次元記録を行う方法を説明するための図である
【符号の説明】
【００１４】
１０ 記録層
１１ 記録層の基準面
２０ 対物レンズ
２１ 記録再生用対物レンズ
２２ アドレス用対物レンズ
２３ λ１用レンズ
２４ λ2用レンズ
２５ λ3用レンズ
３０ 媒体平面内の基準位置
４０ 記録マーク
６０ 半導体レーザ
６１ 記録再生用レーザ（λ１）
６２ アドレス用レーザー（λ２）
７０ ビームスプリッタ
７１ λ1用ビームスプリッタ
７２ λ２用ビームスプリッタ
８０ 検出器
８１ λ３用検出器
８２ λ４用検出器
９０ 偏光ビームスプリッタ
【図１】
2005327328.tif 000003
【図２】
2005327328.tif 000004
【図３】
2005327328.tif 000005
【図４】
2005327328.tif 000006
【図５】
2005327328.tif 000007
【図６】
2005327328.tif 000008
【図７】
2005327328.tif 000009
【図８】
2005327328.tif 000010
【図９】
2005327328.tif 000011
【図１０】
2005327328.tif 000012
【図１１】
2005327328.tif 000013